(57)【要約】【課題】回路基板上の磁芯の数およびその占有スペースを削減することのできるフィルタ回路およびそのフィルタ回路を用いた電源装置を提供する。【解決手段】フィルタ回路１は、中足コイル１１およびキャパシタＣ１からなる第１のフィルタ部１Ａと、外足コイル１２およびキャパシタＣ２からなる第２のフィルタ部１Ｂとを２段に直列接続してなる回路を備える。中足コイル１１は、中足部１０Ａと、中足部１０Ａを共有しつつ中足部１０Ａと共にループ磁路１０Ｃ−１を構成する第１外足部１０Ｂ−１およびループ磁路１０Ｃ−２を構成する第２外足部１０Ｂ−２とを含んで構成された磁芯１０の中足部１０Ａに巻回され、外足コイル１２は、自身を流れる電流によって外足部１０Ｂ−１等にそれぞれ生ずる磁束が中足部１０Ａにおいて互いに相殺し合うような態様で外足部１０Ｂ−１等に巻回されている。【選択図】図１
2006288091.tif 000002
【特許請求の範囲】
【請求項１】
第１のインダクタおよび第１のキャパシタからなる第１のフィルタ部と、第２のインダクタおよび第２のキャパシタからなる第２のフィルタ部とを２段に直列接続してなるフィルタ回路であって、
前記第１のインダクタは、中足部と、この中足部を共有しつつ中足部と共にループ磁路をそれぞれ構成する複数の外足部とを含んで構成された磁芯の前記中足部に巻回された中足コイルを含み、
前記第２のインダクタは、前記磁芯の前記外足部に巻回された外足コイルを含み、
前記外足コイルは、一のループ磁路の外足部に巻回された第１外足コイル部と、他の一のループ磁路の外足部に巻回された第２外足コイル部とを直列に接続してなり、
前記第１および第２外足コイル部の巻き方向が同極性方向であると共に、前記第１および第２外足コイル部の巻数が互いに等しく、
前記外足コイルは、この外足コイルを流れる電流によって前記複数の外足部にそれぞれ生ずる磁束が前記中足部において互いに相殺し合うような態様で前記外足部に巻回されている
ことを特徴とするフィルタ回路。
【請求項２】
入力交流電圧を変圧して出力交流電圧として出力するトランスと、
前記出力交流電圧を整流する整流回路と、
前記整流回路の出力を平滑する平滑回路と
を備え、
前記平滑回路が、請求項１に記載のフィルタ回路を用いて構成されている
ことを特徴とする電源装置。
【発明の詳細な説明】
【技術分野】
【０００１】
本発明は、電圧を平滑化するためのフィルタ回路、およびそのフィルタ回路を用いた電源装置に関する。
【背景技術】
【０００２】
従来より、スイッチング電源装置として種々のタイプのものが提案され、実用に供されている。その多くは、図７（特許文献１の図１の一部の記載に対応する）に記載されているように、電力変換トランス１０４の入力巻線に接続されたスイッチング回路１０２のスイッチング動作により、バッテリ（図示せず）からの入力直流電圧Vin をスイッチングし、スイッチングにより得られた入力交流電圧を電力変換トランス１０４の入力巻線に入力し、電力変換トランス１０４により変換された出力交流電圧を電力変換トランス１０４の出力巻線から取り出す方式である。スイッチング回路１０２のスイッチング動作に伴い、出力巻線に現れる電圧は、整流回路１０５によって整流された後、平滑回路１０１によって出力直流電圧Voutに変換されて出力されるようになっている。
【０００３】
【特許文献１】特開平１１−１２２９１１号公報
【発明の開示】
【発明が解決しようとする課題】
【０００４】
この種のスイッチング電源装置では、平滑回路１０１は、整流回路１０５からの出力を平滑化する平滑用のフィルタ回路１０１Ａと、ノイズを除去するノイズ除去用のフィルタ回路１０１Ｂとを直列に配置して構成されることが多い。これらのフィルタ回路１０１Ａ，１０１Ｂは、一般にインダクタＬ１０１，Ｌ１０２とキャパシタＣ１０１，Ｃ１０２とを含んでそれぞれ構成される。これらのインダクタＬ１０１，Ｌ１０２には、インダクタの性能を向上させたりインダクタを作り易くしたりするために、一般に磁芯１００Ａ，１００ＢがインダクタＬ１０１，Ｌ１０２の中にそれぞれ設けられている。このように磁芯１００Ａ，１００Ｂを設けることにより、インダクタンス値が大きくなるので、整流回路１０５の出力のリプル電圧などを充分に抑えることができる。ところが、その反面、２段のフィルタ回路１０１Ａ，１０１Ｂのそれぞれについて磁芯１００Ａ，１００Ｂを別々に配置することが必要となるので、回路基板上の磁芯１００Ａ，１００Ｂの占有スペースが大きくなり、回路の小型化が困難になるという問題がある。
【０００５】
本発明は、かかる問題点に鑑みてなされたもので、その目的は、回路基板上の磁芯の数およびその占有スペースを削減することのできるフィルタ回路およびそのフィルタ回路を用いた電源装置を提供することにある。
【課題を解決するための手段】
【０００６】
本発明のフィルタ回路は、第１のインダクタおよび第１のキャパシタからなる第１のフィルタ部と、第２のインダクタおよび第２のキャパシタからなる第２のフィルタ部とを２段に直列接続してなる回路である。第１のインダクタおよび第２のインダクタは、中足部と、この中足部を共有しつつ中足部と共にループ磁路をそれぞれ構成する複数の外足部とを含んで構成された磁芯の中足部および外足部にそれぞれ巻回されている。
【０００７】
具体的には、第１のインダクタは、上記磁芯の中足部に巻回された中足コイルを含み、第２のインダクタは、上記磁芯の外足部に巻回された外足コイルを含む。この外足コイルは、この外足コイルを流れる電流によって複数の外足部にそれぞれ生ずる磁束が中足部において互いに相殺し合うような態様で外足部に巻回されている。
【０００８】
上記「中足部において互いに相殺し合うような態様」とは、一の外足コイル部と一の外足コイル部が巻回されている一の外足部とを合わせた物理的性質と、他の外足コイル部と他の外足コイル部が巻回されている他の外足部とを合わせた物理的性質とが、中足コイルとの関係で互いに同質であることを指す。
【０００９】
具体的には、外足コイルは、第１外足コイル部と第２外足コイル部とを備え、第１外足コイル部が一のループ磁路の外足部に、第２外足コイル部が他の一のループ磁路の外足部にそれぞれ巻回されている。このとき、第１および第２外足コイル部の巻き方向が同極性方向であると共に、第１および第２外足コイル部の巻数が互いに等しくなっている。ここで、「同極性方向」とは、各外足コイル部を流れる電流によって外足部に生ずる磁束の方向が同一であることを指す。
【００１０】
なお、上記の態様において、第１および第２の外足コイル部の巻数を等しくして、第１外足コイル部と第１外足コイル部が巻回されている外足部とを合わせた物理的性質と、第２外足コイル部と第２外足コイル部が巻回されている外足部とを合わせた物理的性質とが、中足コイルとの関係において互いに同質となるには、第１外足コイル部が巻回されている外足部と、第２外足コイル部が巻回されている外足部との材質や形状、大きさなどが互いに等しいことが前提となる。
【００１１】
本発明の電源装置は、入力交流電圧を変圧して出力交流電圧として出力するトランスと、出力交流電圧を整流する整流回路と、整流回路の出力を平滑する平滑回路とを備える。この平滑回路は、上記したフィルタ回路を用いて構成される。
【００１２】
本発明のフィルタ回路およびそのフィルタ回路を用いた電源装置では、外足コイルを流れる電流によって複数の外足部にそれぞれ生ずる磁束は中足部において互いに相殺されるので、外足コイルから中足コイルに電圧が誘起されることは実質的にない。一方、一の外足コイル部と一の外足コイル部が巻回されている一の外足部とを合わせた物理的性質と、他の外足コイル部と他の外足コイル部が巻回されている他の外足部とを合わせた物理的性質とが、中足コイルとの関係で互いに同質であることから、中足コイルを流れる電流によって複数の外足部にそれぞれ生ずる磁束も外足部において互いに相殺されるので、中足コイルから外足コイルに電圧が誘起されることは実質的にない。これより、中足コイルおよび外足コイルは、共通の磁芯に巻回されているにも拘わらず、互いに影響を及ぼし合う虞はない。
【発明の効果】
【００１３】
本発明のフィルタ回路およびそのフィルタ回路を用いた電源装置によれば、第１のインダクタおよび第２のインダクタは、互いに影響を及ぼし合うことがないので、第１のフィルタ部および第２のフィルタ部のそれぞれの機能が損なわれる虞はない。これにより、従来必要とされていた２つの磁芯を共通化することができ、その結果、磁芯の数およびその占有スペースを削減することができる。したがって、２段構成のフィルタ回路の小型化が可能である。
【発明を実施するための最良の形態】
【００１４】
以下、本発明の一実施の形態について、図面を参照して詳細に説明する。
【００１５】
図１（Ａ）は、本発明の一実施の形態に係るフィルタ回路１の概略構成を表したものである。図１（Ｂ）は、図１（Ａ）のフィルタ回路１の磁気素子２０をより具体的に表したものである。このフィルタ回路１は、磁気素子２０と、キャパシタＣ１，Ｃ２とを備えたものであり、この磁気素子２０は、磁芯１０と、中足コイル１１（第１のインダクタ）と、外足コイル１２（第２のインダクタ）とを備えたものである。
【００１６】
磁芯１０は、中足部１０Ａと、外足部１０Ｂとを備える。この外足部１０Ｂは、中足部１０Ａを共有しつつ中足部１０Ａと共に第１ループ磁路を構成する第１外足部１０Ｂ−１と、この中足部１０Ａを共有しつつ中足部１０Ａと共に第２ループ磁路を構成する第２外足部１０Ｂ−２とを有する。なお、本実施の形態では、第１外足部１０Ｂ−１および第２外足部１０Ｂ−２は、互いに等しい材質、形状および大きさで構成されているものとする。
【００１７】
中足コイル１１は、磁芯１０の中足部１０Ａに巻回したものであり、例えば、インダクタとして機能するコイルにより構成される。また、中足コイル１１において、一端は入力端子Ｔ１と、他端は外足コイル１２の一端およびキャパシタＣ１とそれぞれ接続されている。
【００１８】
外足コイル１２は、磁芯１０の外足部１０Ｂに巻回したものであり、例えば、インダクタとして機能する単コイルにより構成される。また、外足コイル１２において、一端は中足コイル１１の他端およびキャパシタＣ１と、他端は出力端子Ｔ３およびキャパシタＣ２とそれぞれ接続されている。
【００１９】
キャパシタＣ１は、中足コイル１１の他端と、入力端子Ｔ２および出力端子Ｔ４を結ぶ配線に接続されており、キャパシタＣ２は、外足コイル１２の他端と、入力端子Ｔ２および出力端子Ｔ４を結ぶ配線に接続されている。
【００２０】
中足コイル１１およびキャパシタＣ１は、第１のフィルタ部１Ａを構成し、例えば、入力端子Ｔ１，Ｔ２に入力される電圧を平滑化する機能を有し、一方、外足コイル１２およびキャパシタＣ２は、第２のフィルタ部１Ｂを構成し、例えば、前段の第１のフィルタ部１Ａから入力される電圧に含まれるノイズを除去する機能を有する。
【００２１】
ところで、上記した外足コイル１２は、図１（Ｂ）に示したように、第１外足コイル部１２−１および第２外足コイル部１２−２により構成され、磁芯１０の第１外足部１０Ｂ−１から第２外足部１０Ｂ−２へかけて連続して巻回したものである。具体的には、第１外足コイル部１２−１が第１ループ磁路１０Ｃ−１の第１外足部１０Ｂ−１に、第２外足コイル部１２−２が第２ループ磁路１０Ｃ−２の第２外足部１０Ｂ−２にそれぞれ巻回されている。このとき、第１外足コイル部１２−１および第２外足コイル部１２−２の巻き方向が互いに同極性方向であると共に、第１外足コイル部１２−１および第２外足コイル部１２−２の巻数が互いに等しくなっている。ここで、「同極性方向」とは、第１外足コイル部１２−１および第２外足コイル部１２−２を流れる電流によって第１外足部１０Ｂ−１および第２外足部１０Ｂ−２に生ずる磁束の方向が同一であることを指す。
【００２２】
このように、第１外足部１０Ｂ−１および第２外足部１０Ｂ−２が互いに等しい材質、形状および大きさで構成され、かつ、第１外足コイル部１２−１と第２外足コイル部１２−２との巻数や巻き方が互いに等しいことから、第１外足コイル部１２−１と第１外足コイル部１２−１が巻回されている第１外足部１０Ｂ−１とを合わせた物理的性質（以下、第１の物理的性質と称する）と、第２外足コイル部１２−２と第２外足コイル部１２−２が巻回されている第２外足部１０Ｂ−２とを合わせた物理的性質（以下、第２の物理的性質と称する）とが、中足コイル１１との関係において互いに同質である。
【００２３】
なお、第１の物理的性質と第２の物理的性質とが、中足コイル１１との関係において互いに「同質」となる構成は、上記に限定されるものではなく、外足部１０Ｂ−１と外足部１０Ｂ−２との材質や形状、大きさなどが互いに相違していてもよい。ただし、そのような場合には、第１外足コイル部１２−１および第２外足コイル部１２−２のそれぞれの巻数などを適切に調節することが必要となる。
【００２４】
また、第１の物理的性質と第２の物理的性質とが、中足コイル１１との関係において互いに同質である限り、第１外足コイル部１２−１および第２外足コイル部１２−２の巻き方が相違する態様、例えば、中足コイル１１の延在方向の中心軸Ｘを基準として、第１外足コイル部１２−１および第２外足コイル部１２−２の巻き位置が線対称とならない態様で構成されていてもよい。
【００２５】
次に、以上のような構成のフィルタ回路の作用を説明する。このフィルタ回路では、例えば、入力端子Ｔ１，Ｔ２に入力された電圧を第１のフィルタ部１Ａにおいて平滑化すると共に、第１のフィルタ部１Ａから出力された電圧に含まれるノイズを第２のフィルタ部１Ｂにおいて除去したのち、直流電圧を出力端子Ｔ３，Ｔ４から出力する。
【００２６】
このとき、フィルタ回路の磁気素子２０では、図２に示したように、外足コイル１２を流れる電流によって第１外足部１０Ｂ−１および第２外足部１０Ｂ−２にそれぞれ生ずる磁束φ１および磁束φ２は中足部１０Ａにおいて互いに相殺されるので、外足コイル１２から中足コイル１１に電圧が誘起されることは実質的にない。一方、中足コイル１１を流れる電流によって第１外足部１０Ｂ−１および第２外足部１０Ｂ−２により構成されるループ磁路にそれぞれ生ずる磁束φ３およびφ４もそのループ磁路において互いに相殺されるので、中足コイルから外足コイルに電圧が誘起されることは実質的にない。これより、中足コイルおよび外足コイルは、共通の磁芯１０に巻回されているにも拘わらず、互いに影響を及ぼし合う虞はない。
【００２７】
本実施の形態のフィルタ回路１によれば、中足コイル１１および外足コイル１２は互いに影響を及ぼし合うことがないので、中足コイル１１およびキャパシタＣ１からなる第１のフィルタ部１Ａ、および外足コイル１２およびキャパシタＣ２からなる第２のフィルタ部１Ｂのそれぞれの機能が損なわれる虞はない。これにより、従来必要とされていた２つの磁芯を共通化することができ、その結果、磁芯の数およびその占有スペースを削減することができる。したがって、２段構成のフィルタ回路でありながら、磁芯の数およびその占有スペースを削減することができ、小型化が可能となる。
【００２８】
なお、図３に示したように、磁芯１０の中足部１０Ａにエアギャップｇを設けてもよい。これにより、エアギャップｇを大きくした場合には、エアギャップｇが無い、または小さい場合と比べて、外足部１０Ｂに巻回された第１外足コイル部１２−１と第１外足コイル部１２−１の磁気結合が強まる。一方、エアギャップｇを小さくした場合には、エアギャップｇが大きい場合と比べて、外足部１０Ｂに巻回された第１外足コイル部１２−１と第１外足コイル部１２−１の磁気結合が弱まる。
【００２９】
［適用例］
図４は、上記実施の形態のフィルタ回路１を用いた電源装置の概略構成を表したものである。
【００３０】
なお、この電源装置は、例えば高圧バッテリ（図示せず）から供給される高圧の入力直流電圧Ｖinを、より低い出力直流電圧Ｖout に変換して、例えば低圧バッテリ（図示せず）に供給するＤＣ−ＤＣコンバータとして機能するものであり、後述するようにフォーワード型の電源装置である。
【００３１】
電源装置は、トランス４と、トランス４の１次側に設けられたスイッチング回路２、スイッチング回路２を駆動する駆動回路３および平滑コンデンサＣ３と、トランス４の２次側に設けられた整流回路５およびフィルタ回路１とを備える。１次側高圧ラインＬ１Ｈの入力端子Ｔ１と１次側低圧ラインＬ１Ｌの入力端子Ｔ２との間には、例えば高圧バッテリから出力される入力直流電圧Ｖinが印加されるようになっており、出力ラインＬＯの出力端子Ｔ３と接地ラインＬＧの出力端子Ｔ４との間には、例えば低圧バッテリへ給電する出力直流電圧Ｖout が出力されるようになっている。
【００３２】
トランス４は、巻数Ｎａの１次側巻線４−１および巻数Ｎｂの２次側巻線４−２からなる、１入力１出力タイプのトランスコイルセットを磁芯１０に巻回したものである。このトランス４は、スイッチング回路２から入力された入力交流電圧を降圧し、２次側巻線４−２から出力交流電圧を出力するようになっている。なお、この場合の降圧の度合いは、１次側巻線４−１と２次側巻線４−２との巻数比（Ｎｂ／Ｎａ）によって定まる。
【００３３】
スイッチング回路２は、例えば高圧バッテリから出力される入力直流電圧Ｖinをほぼ矩形波状の単相交流電圧に変換する単相インバータ回路であり、駆動回路３から供給されるスイッチング信号（図示せず）によってそれぞれ駆動される４つのスイッチング素子Ｓ１，Ｓ２，Ｓ３，Ｓ４をフルブリッジ接続してなるフルブリッジ型のスイッチング回路である。スイッチング素子としては、例えばＭＯＳ−ＦＥＴ（Metal Oxide Semiconductor-Field Effect Transistor ）やＩＧＢＴ（Insulated Gate Bipolor Transistor ）などのスイッチ素子が用いられる。
【００３４】
スイッチング素子Ｓ１は１次側高圧ラインＬ１Ｈとトランス４の１次側巻線４−１の一端との間に設けられ、スイッチング素子Ｓ２は１次側巻線４−１の他端と１次側低圧ラインＬ１Ｌとの間に設けられている。スイッチング素子Ｓ３は１次側高圧ラインＬ１Ｈと１次側巻線４−１の他端との間に設けられ、スイッチング素子Ｓ４は１次側巻線４−１の一端と１次側低圧ラインＬ１Ｌとの間に設けられている。
【００３５】
スイッチング回路２では、スイッチング素子Ｓ１，Ｓ２がオンすることにより、１次側高圧ラインＬ１Ｈから順にスイッチング素子Ｓ１、１次側巻線４−１およびスイッチング素子Ｓ２を通って１次側低圧ラインＬ１Ｌに至る第１の電流経路に電流が流れる一方、スイッチング素子Ｓ３，Ｓ４がオンすることにより、１次側高圧ラインＬ１Ｈから順にスイッチング素子Ｓ３、１次側巻線４−１およびスイッチング素子Ｓ４を通って１次側低圧ラインＬ１Ｌに至る第２の電流経路に電流が流れるようになっている。
【００３６】
整流回路５は、一対のダイオードＤ１，Ｄ２を含んで構成されたセンタータップ型の整流回路である。ダイオードＤ１のアノードは２次側巻線４−３の一端に接続され、ダイオードＤ２のアノードは２次側巻線４−２の一端に接続されている。２次側巻線４−２の他端と２次側巻線４−３の他端とは、それぞれ出力ラインＬＯに接続されている。なお、以下、その接続点を接続点Ｃとする。ダイオードＤ１，Ｄ２の各カソード同士は、互いに接続されると共に、接地ラインＬＧに接続されている。一対のダイオードＤ１，Ｄ２は、トランス４の出力交流電圧の各半波期間を個別に整流するようになっている。
【００３７】
フィルタ回路１は、チョークコイルとしての中足コイル１１および平滑コンデンサとしてのコンデンサＣ１を含んで構成された平滑用のフィルタ回路（第１のフィルタ部１Ａ）と、チョークコイルとしての外足コイル１２および平滑コンデンサとしてのコンデンサＣ２を含んで構成されたノイズ除去用のフィルタ回路（第２のフィルタ部１Ｂ）とを直列に配置して構成されたものである。
【００３８】
ここで、中足コイル１１は、磁芯１０の中足部１０Ａに巻回されている。一方、外足コイル１２は、図１（Ｂ）に示したように、第１外足コイル部１２−１および第２外足コイル部１２−２により構成され、磁芯１０の第１外足部１０Ｂ−１から第２外足部１０Ｂ−２へかけて連続して巻回したものである。具体的には、第１外足コイル部１２−１および第２外足コイル部１２−２は、第１ループ磁路１０Ｃ−１の第１外足部１０Ｂ−１、および第２ループ磁路１０Ｃ−２の第２外足部１０Ｂ−２に、巻き方向が互いに同極性方向となるように、かつ、巻数が互いに等しくなるようにそれぞれ巻回されると共に、直列に接続されている。
【００３９】
平滑用のフィルタ回路において、中足コイル１１は、出力ラインＬＯに挿入配置されており、その一端は２次側巻線４−２の他端および２次側巻線４−３の他端に接続され、その他端は外足コイル１２の一端に接続されている。コンデンサＣ１は、外足コイル１２の一端と接地ラインＬＧの出力端子Ｔ４との間に接続されている。
【００４０】
ノイズ除去用のフィルタ回路において、外足コイル１２、出力ラインＬＯに挿入配置されており、その一端は中足コイル１１の他端およびコンデンサＣ１に接続され、その他端は出力ラインＬＯの出力端子Ｔ３に接続されている。コンデンサＣ２は、出力ラインＬＯの出力端子Ｔ３と接地ラインＬＧの出力端子Ｔ４との間に接続されている。
【００４１】
フィルタ回路１は、一対のダイオードＤ１，Ｄ２で整流された電圧を平滑化して直流電圧を生成すると共に、その直流電圧に含まれるノイズを除去して出力直流電圧Ｖout1を生成し、これを出力端子Ｔ３，Ｔ４から、例えば低圧バッテリに給電するようになっている。
【００４２】
これにより、本適用例に係る電源装置では、図２に示したように、外足コイル１２を流れる電流によって第１外足部１０Ｂ−１および第２外足部１０Ｂ−２にそれぞれ生ずる磁束φ１および磁束φ２は中足部１０Ａにおいて互いに相殺されるので、外足コイル１２から中足コイル１１に電圧が誘起されることは実質的にない。一方、中足コイル１１を流れる電流によって第１外足部１０Ｂ−１および第２外足部１０Ｂ−２により構成されるループ磁路にそれぞれ生ずる磁束φ３およびφ４もそのループ磁路において互いに相殺されるので、中足コイルから外足コイルに電圧が誘起されることは実質的にない。これより、中足コイルおよび外足コイルは、共通の磁芯１０に巻回されているにも拘わらず、互いに影響を及ぼし合う虞はない。
【００４３】
本適用例に係る電源装置によれば、中足コイル１１および外足コイル１２は互いに影響を及ぼし合うことがないので、中足コイル１１およびキャパシタＣ１からなる第１のフィルタ部１Ａ、および外足コイル１２およびキャパシタＣ２からなる第２のフィルタ部１Ｂのそれぞれの機能が損なわれる虞はない。これにより、従来必要とされていた２つの磁芯を共通化することができ、その結果、磁芯の数およびその占有スペースを削減することができる。したがって、２段構成の平滑回路を備えながらも、電源装置の小型化が可能となる。
【００４４】
以上、複数の実施の形態および複数の適用例を挙げて本発明を説明したが、本発明は、これらに限定されず、種々の変形が可能である。
【００４５】
例えば、上記適用例に係る電源装置では、スイッチング回路２はフルブリッジ型であったが、図５（Ａ）〜（Ｅ）に例示したような、フォーワード型２−１、リセット巻線付きフォーワード型２−２、ダブルフォーワード型２−３、プッシュプル型２−４およびハーフブリッジ型２−５などであってもよい。また、整流平滑回路５は、センタータップ型であったが、図６（Ａ）〜（Ｃ）に例示したような、フォーワード型５−１やカレントダブラ型５−２およびフルブリッジ型５−３などであってもよい。
【図面の簡単な説明】
【００４６】
【図１】本発明の一実施の形態に係るフィルタ回路の構成を表す回路図である。
【図２】図１の磁気素子内の磁束の流れについて説明するための概念図である。
【図３】図１の磁芯の変形例の構成を表す概略図である。
【図４】図１の磁気素子の適用例に係る電源装置の構成を表す回路図である。
【図５】スイッチング回路の回路図である。
【図６】整流回路の回路図である。
【図７】従来のフィルタ回路の構成を表す回路図である。
【符号の説明】
【００４７】
１…フィルタ回路、１Ａ…第１のフィルタ部、１Ｂ…第２のフィルタ部、２…スイッチング回路、３…駆動回路、４…整流回路、１０…磁芯、１０Ａ…中足部、１０Ｂ−１…第１外足部、１０Ｂ−２…第２外足部、１０Ｃ−１…第１ループ磁路、１０Ｃ−２…第２ループ磁路、１１…中足コイル、１２…外足コイル、１２−１…第１外足コイル部、１２−２…第２外足コイル部、Ｓ１，Ｓ２，Ｓ３，Ｓ４…スイッチング素子、Ｃ…接続点、Ｃ１，Ｃ２，Ｃ３…コンデンサ、Ｄ１，Ｄ２…ダイオード、Ｌ１Ｈ…１次側高圧ライン、Ｌ１Ｌ…１次側低圧ライン、ＬＯ…出力ライン、ＬＧ…接地ライン、Ｔ１，Ｔ２…入力端子、Ｔ３，Ｔ４…出力端子、Ｖin…入力直流電圧、Ｖout …出力直流電圧。
【図１】
2006288091.tif 000003
【図２】
2006288091.tif 000004
【図３】
2006288091.tif 000005
【図４】
2006288091.tif 000006
【図５】
2006288091.tif 000007
【図６】
2006288091.tif 000008
【図７】
2006288091.tif 000009